(57)【要約】【課題】電源がオンになった直後（起動直後）の状態において、光源を速やかに点灯させる。【解決手段】光源駆動装置１は、調光指示信号の種類を自動判別する機能を備え、かつ、入力される調光指示信号Ｓａｄに応じて光源を駆動する装置である。光源駆動装置は、調光信号Ｓｃを生成する調光制御部３と、調光制御部によって生成された調光信号に応じて、光源１０を駆動する駆動回路部９と、電源オフ時の調光率が記憶値として記憶される記憶部１３と、を有する。調光制御部は、前回の電源オフ後の電源オン時に、調光指示信号の種類の自動判別が完了する前に、記憶値に基づいて調光信号を生成して駆動回路部に出力する。【選択図】図１
2018125235.tif 000002
【特許請求の範囲】
【請求項１】
調光指示信号の種類を自動判別する機能を備え、かつ、入力される調光指示信号に応じて光源を駆動する光源駆動装置であって、
調光信号を生成する調光制御部と、
前記調光制御部によって生成された前記調光信号に応じて、前記光源を駆動する駆動回路部と、
電源オフ時の調光率情報が記憶値として記憶される記憶部と、を有し、
前記調光制御部は、前回の電源オフ後の電源オン時に、前記調光指示信号の種類の自動判別が完了する前に、前記記憶値に基づいて前記調光信号を生成して前記駆動回路部に出力する
ことを特徴とする光源駆動装置。
【請求項２】
請求項１に記載の光源駆動装置において、
さらに、前回の電源オフ時の調光率情報を前記記憶値として前記記憶部に記憶させ、前回の電源オフ後の電源オン時に、前回の電源オフ時の調光率情報を前記調光制御部に出力する起動制御部を有する
ことを特徴とする光源駆動装置。
【請求項３】
請求項２に記載の光源駆動装置において、
さらに、電源の電圧値に応じた電圧値を前記起動制御部に出力する検出回路を有する
ことを特徴とする光源駆動装置。
【請求項４】
請求項１乃至請求項３のいずれか一項に記載の光源駆動装置において、
前記調光制御部は、前記調光指示信号の種類を自動判別した後に、前記調光指示信号として入力されるＰＷＭ調光指示信号又はＤＡＬＩ調光指示信号に基づいて、ＰＷＭ調光モードによる調光制御又はＤＡＬＩ調光モードによる調光制御を行う
ことを特徴とする光源駆動装置。
【請求項５】
請求項４に記載の光源駆動装置において、
前記調光制御部は、前記調光指示信号の種類を自動判別した後に、前記ＰＷＭ調光モードによる調光制御を行う場合で、かつ、前記記憶値の調光率と前記ＰＷＭ調光指示信号によって指示される指示調光率との差が所定の範囲内であるときに、前記記憶値での光源点灯を継続する
ことを特徴とする光源駆動装置。
【請求項６】
請求項４又は請求項５に記載の光源駆動装置において、
前記調光制御部は、前記調光指示信号の種類を自動判別した後に、前記ＰＷＭ調光モードによる調光制御を行う場合で、かつ、前記記憶値の調光率と前記ＰＷＭ調光指示信号によって指示される指示調光率との差が所定の範囲内でないときに、光源点灯状態を、前記記憶値での光源点灯状態から前記指示調光率での光源点灯状態に変更する
ことを特徴とする光源駆動装置。
【請求項７】
請求項４乃至請求項６のいずれか一項に記載の光源駆動装置において、
前記調光制御部は、前記調光指示信号の種類を自動判別した後に、前記ＰＷＭ調光モードによる調光制御を行う場合で、かつ、入力される前記調光指示信号の波形が正常でない場合に、所定の調光率での光源点灯を行う
ことを特徴とする光源駆動装置。
【請求項８】
請求項４乃至請求項７のいずれか一項に記載の光源駆動装置において、
前記調光制御部は、前記調光指示信号の種類を自動判別した後に、前記ＤＡＬＩ調光モードによる調光制御を行う場合に、光源点灯状態を、前記記憶値での光源点灯状態から前記ＤＡＬＩ調光指示信号によって指示される指示調光率での光源点灯状態に変更する
ことを特徴とする光源駆動装置。
【請求項９】
請求項１乃至請求項８のいずれか一項に記載の光源駆動装置と、
光源と、を有する
ことを特徴とする照明装置。
【発明の詳細な説明】
【技術分野】
【０００１】
本発明は、光源駆動装置および照明装置に関する。
【背景技術】
【０００２】
近年、ＬＥＤ（Light Emitting Diode）を光源として用いた照明装置が普及している。この種の照明装置は、光源の調光や調色を容易に行うことができるため、蛍光灯や白熱電球とは異なる制御を行うことが提案されている。
【０００３】
例えば、ヨーロッパでは、ＤＡＬＩ（Digital Addressable Lighting Interface）と称される制御プロトコルを用いた照明制御システムが普及しつつある。ＤＡＬＩは、照明制御システムを構成する操作装置（マスター）と照明装置（スレーブ）との間で双方向のデジタル通信を行うことで、高度な調光制御や調色制御を行うものである。
【０００４】
ＤＡＬＩを用いた照明制御システム（以下、「ＤＡＬＩシステム」と称する）において、照明装置（スレーブ）は、光源と、その光源を駆動する光源駆動装置とを有している。ＤＡＬＩの主な機能としては、例えば以下のものがある。
（１）操作装置（マスター）側から照明装置（スレーブ）側への指示により光源の点灯をオンオフする機能。
（２）操作装置（マスター）側から照明装置（スレーブ）側への指示により光源を調光または調色する機能。
（３）光源駆動装置や光源の故障などの異常を照明装置（スレーブ）側から操作装置（マスター）側に通知する機能。
【０００５】
このようなＤＡＬＩシステムに関連して、特許文献１には、調光指示信号の種類を自動判別する機能を備えた光源駆動装置が開示されている。特許文献１の光源駆動装置は、１つの調光制御部でＰＷＭ（Pulse Width Modulation）信号とＤＡＬＩ信号とのいずれにも対応できる構成になっている（特許文献１の図１参照）。具体的には、特許文献１の光源駆動装置は、調光指示信号として入力されるＰＷＭ調光指示信号又はＤＡＬＩ調光指示信号がいずれのものであるかを判定し、判定結果に基づいた調光信号を生成する調光制御部と、調光制御部によって生成された調光信号に応じて、光源を駆動する駆動回路部とを備えている。
【０００６】
ところで、例えば、特許文献２には、一般的な照明器具の電源装置が記載されている。一般的な照明器具の電源装置は、電源がオン（投入）になっても、直ちには調光信号が照明器具に出力されない構成になっている。そして、一般的な照明器具の電源装置は、電源がオンになった直後（起動直後）の状態において、調光信号が照明器具に出力される前に照明器具が点灯されることがあると、調光信号により所望する光量に制御される前に調光信号が入力されない状態で照明器具が点灯される期間が生じる。したがって、一般的な照明器具の電源装置は、電源がオンになった直後（起動直後）の状態において、照明器具を一瞬だけ全光状態で点灯し、その後に調光状態に移行する構成になっている（特許文献２の段落０００５参照）。このような一般的な照明器具の電源装置は、電源がオンになった直後（起動直後）の状態において、調光率が急激に変化するため、ユーザに違和感を与えてしまうことがあった。
【０００７】
これに対し、特許文献１の光源駆動装置は、電源がオンになった直後（起動直後）の状態において、ＰＷＭ信号が入力されない場合（すなわち、調光指示信号がＬレベルになっている場合）に、調光指示信号がＬレベルになっていることから、休止区間が有ると判断し、調光指示信号がＤＡＬＩ調光指示信号であると判断する。その結果、特許文献１の光源駆動装置は、ＤＡＬＩ調光指示信号に基づく調光制御を行う。このような特許文献１の光源駆動装置は、電源がオンになった直後（起動直後）の状態において、調光率が急激に変化することを回避することができる。
【先行技術文献】
【特許文献】
【０００８】
【特許文献１】特開２０１５−１７３０３１号公報（図１）
【特許文献２】特許第４６３６１０２号公報（段落０００５）
【発明の概要】
【発明が解決しようとする課題】
【０００９】
しかし、特許文献１に記載されている発明は、以下に説明するように、電源がオンになった直後（起動直後）の状態において、光源を速やかに点灯させることができない場合があった。
【００１０】
例えば、特許文献１に記載されている発明は、電源がオンになった直後（起動直後）の状態において、光源１０を点灯させる前に、調光指示信号の種類の自動判別（つまり、調光指示信号がＰＷＭ調光指示信号又はＤＡＬＩ調光指示信号のいずれであるのかの自動判別）を行う必要である。そのため、特許文献１に記載されている発明は、光源１０を点灯させる前に、ある程度の時間を要している。
【００１１】
このような特許文献１に記載されている発明では、電源がオンになった直後（起動直後）の状態において、調光制御部から駆動回路部への調光信号の出力が遅くなってしまうことがある。そして、調光信号の出力が遅くなってしまった場合に、ユーザが点灯操作を行ってから光源が点灯を開始するまでの間に、ユーザが不安に思ってしまうほどに、比較的多大な時間を要することがあった。
【００１２】
そこで、本発明は、光源駆動装置および照明装置について、電源がオンになった直後（起動直後）の状態において、光源を速やかに点灯させることを課題とする。
【課題を解決するための手段】
【００１３】
前記した課題を解決するため、本発明の光源駆動装置および照明装置は、以下のように構成した。
すなわち、本発明の光源駆動装置は、調光指示信号の種類を自動判別する機能を備え、かつ、入力される調光指示信号に応じて光源を駆動する光源駆動装置であって、調光信号を生成する調光制御部と、前記調光制御部によって生成された前記調光信号に応じて、前記光源を駆動する駆動回路部と、電源オフ時の調光率情報が記憶値として記憶される記憶部と、を有し、前記調光制御部は、前回の電源オフ後の電源オン時に、前記調光指示信号の種類の自動判別が完了する前に、前記記憶値に基づいて前記調光信号を生成して前記駆動回路部に出力することを特徴とする。
また、本発明の照明装置は、その光源駆動装置と、光源と、を有する構成とする。
その他の手段については、発明を実施するための形態のなかで説明する。
【発明の効果】
【００１４】
本発明によれば、光源駆動装置および照明装置について、電源がオン（投入）された直後（起動直後）の状態において、光源を速やかに点灯させることができる。
【図面の簡単な説明】
【００１５】
【図１】本実施形態における光源駆動装置を含む照明装置の概略構成を示すブロック図である。
【図２】本実施形態における光源駆動装置の電源オフ時の動作を示すフローチャートである。
【図３Ａ】本実施形態における光源駆動装置の電源オン時の動作を示すフローチャート（１）である。
【図３Ｂ】本実施形態における光源駆動装置の電源オン時の動作を示すフローチャート（２）である。
【図４】本実施形態における光源駆動装置のモード設定時の動作を示すフローチャートである。
【発明を実施するための形態】
【００１６】
以降、本発明を実施するための形態を、各図を参照して詳細に説明する。
＜光源駆動装置を含む照明装置の全体構成＞
図１は、本実施形態における光源駆動装置を含む照明装置の概略構成を示すブロック図である。本実施形態における光源駆動装置１は、電源オフ（切断）時の調光状態（調光率）情報を記憶部に記憶させておき、電源オン（投入）時に、その調光状態（調光率）情報に基づいて光源を点灯させることを意図したものである。
【００１７】
図１に示すように、照明装置１００は、光源駆動装置１と、光源１０とを有しており、有線又は無線で操作装置Ｍｓとデジタル通信可能に接続されている。照明装置１００は、ＤＡＬＩシステムにおいて、スレーブとして機能する装置である。操作装置Ｍｓは、ＤＡＬＩシステムにおいて、マスターとして機能する装置である。操作装置Ｍｓは、光源１０の調光制御を指示する調光指示信号Ｓａｄを照明装置１００に送信する。
【００１８】
光源駆動装置１は、操作装置Ｍｓから送信された調光指示信号Ｓａｄに基づいて光源１０を駆動する装置である。なお、光源駆動装置１は、電源がオン（投入）された直後の状態において、しばらくの間、操作装置Ｍｓから送信された調光指示信号Ｓａｄに応じないで、前回の電源オフ（切断）時の調光率で光源１０を点灯させる構成になっている。
【００１９】
光源駆動装置１は、インタフェース回路２、調光制御部３、駆動回路部９、ＡＣ電圧検出回路１１、起動制御部１２、および、記憶部１３を有している。
【００２０】
インタフェース回路２は、調光指示信号Ｓａｄとして、受信（入力）されたＰＷＭ（Pulse Width Modulation）調光指示信号Ｓａｄｐ又はＤＡＬＩ（Digital Addressable Lighting Interface）調光指示信号Ｓａｄｄに応じてシリアル信号Ｒｘを生成する構成要素である。
【００２１】
ＰＷＭ調光指示信号Ｓａｄｐ及びＤＡＬＩ調光指示信号Ｓａｄｄは、例えば、調光入力端子の２線間（Ｄ＋,Ｄ−）の電位差を利用して情報を伝達する差動信号で構成されている。調光入力端子の２線間（Ｄ＋,Ｄ−）の電位差は、所望の電圧変動幅に設定されている。
【００２２】
調光制御部３は、受信（入力）された調光指示信号Ｓａｄに応じて光源１０の明るさに対応する電流を変化させる装置である。調光制御部３は、調光指示信号Ｓａｄに応じてインタフェース回路２によって生成されたシリアル信号ＲｘがＰＷＭ調光指示信号Ｓａｄｐ又はＤＡＬＩ調光指示信号Ｓａｄｄのいずれに基づくシリアル信号であるかを判定するとともに、そのシリアル信号Ｒｘの値の大きさに応じて調光信号Ｓｃを生成する。
【００２３】
また、調光制御部３は、電源がオン（投入）になった直後（起動直後）の状態において、記憶値として記憶部１３に記憶されていた前回の電源オフ時の調光率情報を起動制御部１２から取得し、その調光率情報に基づいて調光信号Ｓｃを生成する。本実施形態では、電源オフ時（厳密には、電源がオフされる直前）にインタフェース回路２で生成されたシリアル信号Ｒｘが「電源オフ時の調光率情報」を表しているものとして説明する。したがって、本実施形態では、調光制御部３は、記憶値として記憶部１３に記憶されていた前回の電源オフ時（厳密には、電源がオフされる直前）のシリアル信号Ｒｘを起動制御部１２から取得し、そのシリアル信号Ｒｘに基づいて調光信号Ｓｃを生成するものとして説明する。
【００２４】
駆動回路部９は、調光制御部３によって生成された調光信号Ｓｃの値の大きさに応じて、光源１０を駆動する構成要素である。駆動回路部９は、光源１０に対応した直流電力や交流電力を供給することができる。なお、駆動回路部９は、光源１０がＬＥＤ（Light Emitting Diode）で構成されている場合にＬＥＤ駆動装置によって構成され、光源１０が放電灯で構成されている場合に放電灯点灯装置によって構成される。
【００２５】
ＡＣ電圧検出回路１１は、ＡＣ電源の電圧値に応じた電圧値を検出する構成要素である（検出回路の一例）。ＡＣ電圧検出回路１１は、抵抗等で構成され、ＡＣ電源の電圧値に応じた電圧値を検出して、検出されたＡＣ電源の電圧値に応じた電圧値を起動制御部１２に出力する。起動制御部１２は、ＡＣ電圧検出回路１１から入力されたＡＣ電源の電圧値に基づいて、電源オン（投入）状態や電源オフ（切断）状態を判別する。
【００２６】
起動制御部１２は、電源オン（投入）時に、記憶値として記憶部１３に記憶されていた前回の電源オフ時の調光率情報に基づいて、前回の電源オフ時の調光率での光源１０の点灯を調光制御部３に指示する構成要素である。
【００２７】
記憶部１３は、電源オフ時の調光率情報（本実施形態では、電源オフ時のシリアル信号Ｒｘ）が記憶値として記憶される記憶手段である。なお、記憶部１３は、好ましくは、照明装置１００が工場から出荷された直後の状態において、予め用意された任意の調光率情報（例えば、任意の調光率に対応したシリアル信号Ｒｘ）が記憶されるようにしてもよい。
【００２８】
光源１０は、ＬＥＤ（Light Emitting Diode）や放電灯等によって構成されている。本実施形態では、光源１０がＬＥＤで構成されているものとして説明する。
【００２９】
前記した調光制御部３は、情報判断部４、ＤＡＬＩ調光信号生成部５、及び、ＰＷＭ調光信号生成部８を備えている。
【００３０】
情報判断部４は、インタフェース回路２から入力されるシリアル信号ＲｘがＰＷＭ調光指示信号Ｓａｄｐ又はＤＡＬＩ調光指示信号Ｓａｄｄのいずれに基づく信号であるかを判断する構成要素である。情報判断部４は、シリアル信号ＲｘがＰＷＭ調光指示信号Ｓａｄｐである場合にＰＷＭ調光情報Ｓｐを生成し、一方、シリアル信号ＲｘがＤＡＬＩ調光指示信号Ｓａｄｄである場合にＤＡＬＩ命令情報Ｓｄを生成する。ＤＡＬＩ命令情報Ｓｄは、ＤＡＬＩ調光情報Ｓｄｐ、命令情報、チャンネル情報（例えば、光源駆動装置１が多数接続されたＤＡＬＩシステムにおいて、光源駆動装置１の識別番号やグループ番号）等を含んでいる。
【００３１】
なお、電源がオンになった直後（起動直後）の状態において、情報判断部４には、起動制御部１２から前回の電源オフ時の調光率情報が入力されるとともに、インタフェース回路２からシリアル信号Ｒｘが入力される。情報判断部４は、電源がオンになった後のしばらくの間、起動制御部１２から入力された前回の電源オフ時の調光率情報に基づく処理を優先して行い、インタフェース回路２から入力されたシリアル信号Ｒｘに基づく処理（すなわち、操作装置Ｍｓから送信される調光指示信号Ｓａｄに基づく処理）をキャンセルする。
【００３２】
ＤＡＬＩ調光信号生成部５は、情報判断部４からＤＡＬＩ命令情報Ｓｄが入力されたときに、ＤＡＬＩ命令情報Ｓｄに基づいて、調光信号Ｓｃを生成する構成要素である。ＤＡＬＩ調光信号生成部５は、ＤＡＬＩフレーム制御部６、及び、信号生成部７を備えている。
【００３３】
ＤＡＬＩフレーム制御部６は、情報判断部４からＤＡＬＩ調光信号生成部５にＤＡＬＩ命令情報Ｓｄが入力されたときに、ＤＡＬＩ命令情報Ｓｄに基づいて、ＤＡＬＩ調光情報Ｓｄｐを生成する構成要素である。ＤＡＬＩフレーム制御部６は、ＤＡＬＩ命令情報Ｓｄに含まれる情報を解析して、ＤＡＬＩ調光情報Ｓｄｐを信号生成部７に出力する。このとき、ＤＡＬＩフレーム制御部６は、ＤＡＬＩ命令情報Ｓｄに対する応答情報として、送信シリアル信号Ｔｘをインタフェース回路２に出力する。
【００３４】
信号生成部７は、ＤＡＬＩフレーム制御部６からＤＡＬＩ調光情報Ｓｄｐが入力されたときに、ＤＡＬＩ調光情報Ｓｄｐに基づいて、調光信号Ｓｃを生成する構成要素である。信号生成部７は、生成された調光信号Ｓｃを駆動回路部９に出力する。
【００３５】
ＰＷＭ調光信号生成部８は、情報判断部４からＰＷＭ調光情報Ｓｐが入力されたときに、ＰＷＭ調光情報Ｓｐに基づいて、調光信号Ｓｃを生成する。ＰＷＭ調光信号生成部８は、生成された調光信号Ｓｃを駆動回路部９に出力する。
【００３６】
係る構成において、光源駆動装置１は、ＤＡＬＩ調光信号生成部５とＰＷＭ調光信号生成部８とを備えているため、調光指示信号の種類（本実施形態では、ＰＷＭ調光指示信号Ｓａｄｐ及びＤＡＬＩ調光指示信号Ｓａｄｄ）を自動判別する機能を備えている。このような光源駆動装置１は、ＰＷＭ調光指示信号Ｓａｄｐに基づく調光制御（ＰＷＭ調光モードによる調光制御）及びＤＡＬＩ調光指示信号Ｓａｄｄに基づく調光制御（ＤＡＬＩ調光モードによる調光制御）の双方を行うことができる。
【００３７】
＜光源駆動装置の動作＞
（電源オフ時の動作）
図２は、本実施形態における光源駆動装置１の電源オフ時の動作を示すフローチャートである。ここでは、照明装置１００が既に起動しており、光源１０が点灯しているものとして説明する。そして、ユーザが操作装置Ｍｓを操作して電源オフ（切断）の操作を行ったものとする。
【００３８】
図２に示すように、光源駆動装置１の起動制御部１２は、ＡＣ電圧検出回路１１から入力されるＡＣ電源の電圧値に基づいて、電源オフが検出されたか否かを繰り返し判定する（ステップＳ１０５）。本実施形態では、ＡＣ電源の電圧値が所定値以下なった場合に、電源オフが検出されたものとして説明する。
【００３９】
ステップＳ１０５の判定で、電源オフが検出されたと判定された場合（“Ｙｅｓ”の場合）に、起動制御部１２は、調光制御部３から電源オフ時（厳密には、電源がオフされる直前）の調光率情報を取得する（ステップＳ１１０）。前記した通り、本実施形態では、電源オフ時（厳密には、電源がオフされる直前）にインタフェース回路２で生成されたシリアル信号Ｒｘが電源オフ時の調光率情報を表しているものとして説明する。したがって、本実施形態では、ステップＳ１１０において、起動制御部１２は、電源オフ時（厳密には、電源がオフされる直前）にインタフェース回路２で生成されたシリアル信号Ｒｘを電源オフ時の調光率情報とし、調光制御部３からそのシリアル信号Ｒｘを取得する。なお、このとき、光源駆動装置１の駆動回路部９は、光源１０への電力の供給を停止して、光源１０を消灯させる。
【００４０】
起動制御部１２は、ステップＳ１１０で取得された電源オフ時のシリアル信号Ｒｘを電源オフ時の調光率情報として記憶値として記憶部１３に記憶させる（ステップＳ１１５）。これにより、電源オフ時の動作が終了する。この後、任意のタイミングで、電源オン時の動作が行われる（図３Ａ及び図３Ｂ参照）。
【００４１】
（電源オン時の動作）
図３Ａ及び図３Ｂは、それぞれ、本実施形態における光源駆動装置の電源オン時の動作を示すフローチャートである。ここでは、ユーザが任意のタイミングで操作装置Ｍｓを操作して電源オン（投入）の操作を行ったものとする。
【００４２】
図３Ａに示すように、光源駆動装置１の起動制御部１２は、ＡＣ電圧検出回路１１から入力されるＡＣ電源の電圧値に基づいて、電源オンを検出する（ステップＳ６０５）。
【００４３】
次に、起動制御部１２は、記憶値での光源１０の点灯が許容されるか否かを判定する（ステップＳ６１０）。許容されるか否かの条件は、運用に応じて任意に定めることができる。例えば、ＡＣ電源のオンオフが短期間に繰り返されることによって、ＡＣ電源が瞬断した場合に、記憶部１３に記憶すべき電源オフ時の調光率情報が取得できないことがある。光源駆動装置１は、このような場合に適用することができるように、許容されるか否かの条件として、ＡＣ電源のオン状態が維持される最低時間を設定することができる。許容されるか否かの条件は、例えば、照明装置１００が工場から出荷されたときに設定されるが、照明装置１００が工場から出荷された後に後付けで設定することもできる。また、許容されるか否かの判断は、物理スイッチの設定やソフトウェアの設定で行うことができる。
【００４４】
ステップＳ６１０の判定で、記憶値での光源１０の点灯が許容されないと判定された場合（“Ｎｏ”の場合）に、処理はステップＳ６２５に進む。一方、ステップＳ６１０の判定で、記憶値での光源１０の点灯が許容されると判定された場合（“Ｙｅｓ”の場合）に、起動制御部１２は、記憶部１３から記憶値を読み出す（ステップＳ６１５）。この記憶値は、前回の電源オフ時の調光率情報（前回の電源オフ時のシリアル信号Ｒｘ）を表している。
【００４５】
次に、起動制御部１２は、読み出された記憶値（前回の電源オフ時のシリアル信号Ｒｘ）を前回の電源オフ時の調光率情報として調光制御部３（具体的には情報判断部４）に出力して、記憶値での光源１０の点灯を開始させる（ステップＳ６２０）。
【００４６】
このとき、調光制御部３（具体的には情報判断部４）は、記憶値（前回の電源オフ時のシリアル信号Ｒｘ）に基づいて、調光信号Ｓｃを生成する。このとき生成された調光信号Ｓｃは、前回の電源オフ時（厳密には、電源がオフされる直前）の調光率と同じ調光率で光源１０を点灯させる内容になっている。
【００４７】
ここでは、調光制御部３は、ＰＷＭ調光信号生成部８で調光信号Ｓｃを生成するものとして説明する。したがって、ここでは、このとき、調光制御部３の情報判断部４が記憶値をＰＷＭ調光信号生成部８に出力し、ＰＷＭ調光信号生成部８がその記憶値に基づいて調光信号Ｓｃを生成する。ただし、このとき、調光制御部３は、ＰＷＭ調光信号生成部８ではなく、ＤＡＬＩ調光信号生成部５で、調光信号Ｓｃを生成するようにしてもよい。
【００４８】
次に、調光制御部３は、生成された調光信号Ｓｃを駆動回路部９に出力する。これに応答して、駆動回路部９は、調光制御部３によって生成された調光信号Ｓｃに基づいて、光源１０を点灯させる。その結果、光源１０は、前回の電源オフ時の調光率と同じ調光率で点灯する。
【００４９】
光源駆動装置１は、ステップＳ６２０の処理と前後して、操作装置Ｍｓから調光指示信号Ｓａｄを受信する（ステップＳ６２５）。すると、光源駆動装置１の調光制御部３は、受信された調光指示信号Ｓａｄに基づいてモード設定を行う（ステップＳ６３０）。ステップＳ６３０のモード設定時の動作については、後記する。
【００５０】
図３Ｂに示すように、ステップＳ６３０の後、光源駆動装置１の調光制御部３（具体的には情報判断部４）は、ステップＳ６３０で設定されたモードが何かを判定する（ステップＳ７０５）。
【００５１】
ステップＳ７０５の判定で、ステップＳ６３０で設定されたモードがＤＡＬＩ調光モードであると判定された場合に、調光制御部３（具体的にはＤＡＬＩ調光信号生成部５）は、ＤＡＬＩステータスを確認する（ステップＳ７１０）。なお、ステップＳ７１０では、調光制御部３の情報判断部４が、ステップＳ６２５で受信された調光指示信号Ｓａｄに基づいてＤＡＬＩ命令情報Ｓｄを生成し、生成されたＤＡＬＩ命令情報ＳｄをＤＡＬＩ調光信号生成部５に出力する。これにより、ＤＡＬＩ調光信号生成部５が作動してＤＡＬＩ命令情報Ｓｄに基づいてＤＡＬＩステータスを確認する。
【００５２】
次に、調光制御部３（具体的にはＤＡＬＩ調光信号生成部５）は、操作装置Ｍｓと相互通信を開始する（ステップＳ７１５）。これにより、調光制御部３は、操作装置Ｍｓから調光指示信号ＳａｄとしてＤＡＬＩ調光指示信号Ｓａｄｄを取得し、ＤＡＬＩ調光指示信号Ｓａｄｄによって指示されている調光率（以下、「指示調光率」と称する）を特定する。ここでは、ＤＡＬＩ調光指示信号Ｓａｄｄに基づいてインタフェース回路２で生成されたシリアル信号Ｒｘの値の大きさがこの指示調光率を表しているものとして説明する。
【００５３】
次に、調光制御部３（具体的にはＤＡＬＩ調光信号生成部５）は、特定された指示調光率での光源１０の点灯を行う（ステップＳ７２０）。このとき、調光制御部３（具体的にはＤＡＬＩ調光信号生成部５）は、光源１０の点灯状態を、記憶値での点灯状態から指示調光率での点灯状態に徐々に変更（遷移）させる。
【００５４】
一方、ステップＳ７０５の判定で、ステップＳ６３０で設定されたモードがＰＷＭ調光モードであると判定された場合に、調光制御部３（具体的には情報判断部４）は、入力波形が正常であるか否かを判定する（ステップＳ７３０）。ここで、入力波形が正常でない場合とは、例えば、ＰＷＭ調光指示信号Ｓａｄｐに応じて生成されたシリアル信号Ｒｘのオンデューティ（On Duty）が極めて早く変化したり、シリアル信号Ｒｘの波形が想定外の周期になっていたり、シリアル信号Ｒｘの波形がハイ又はローに維持されたままになっている場合等である。
【００５５】
ステップＳ７３０の判定で、入力波形が正常であると判定された場合（“Ｙｅｓ”の場合）に、調光制御部３（具体的には情報判断部４）は、光源１０が点灯済みであるか否かを判定する（ステップＳ７３５）。光源１０は、図３Ａに示すステップＳ６１０の判定で“Ｙｅｓ”と判定された場合に、ステップＳ６２０の処理が行われているため、点灯状態になっており、一方、図３Ａに示すステップＳ６１０の判定で“Ｎｏ”と判定された場合に、ステップＳ６２０の処理が行われていないため、消灯状態になっている。
【００５６】
ステップＳ７３５の判定で、光源１０が点灯済みであると判定された場合（“Ｙｅｓ”の場合）に、調光制御部３（具体的には情報判断部４）は、ステップＳ６２５で調光指示信号Ｓａｄとして受信されたＰＷＭ調光指示信号Ｓａｄｐによって指示されている指示調光率を特定し、記憶値の調光値と指示調光率との差が所定の範囲内（例えば、３０％以内、望ましくは、１０％以内）であるか否かを判定する（ステップＳ７４０）。ここでは、ＰＷＭ調光指示信号Ｓａｄｐに基づいてインタフェース回路２で生成されたシリアル信号Ｒｘの値の大きさがこの指示調光率を表しているものとして説明する。
【００５７】
ステップＳ７４０の判定で、記憶値の調光値と指示調光率との差が所定の範囲内であると判定された場合（“Ｙｅｓ”の場合）に、調光制御部３（具体的にはＰＷＭ調光信号生成部８）は、記憶値（前回の電源オフ時のシリアル信号Ｒｘ）での光源１０の点灯を継続する（ステップＳ７４５）。
【００５８】
一方、ステップＳ７４０の判定で、記憶値の調光値と指示調光率との差が所定の範囲内でないと判定された場合（“Ｎｏ”の場合）に、調光制御部３（具体的にはＰＷＭ調光信号生成部８）は、特定された指示調光率での光源１０の点灯を行う（ステップＳ７５０）。このとき、調光制御部３（具体的にはＰＷＭ調光信号生成部８）は、光源１０の点灯状態を、記憶値での点灯状態から指示調光率での点灯状態に徐々に変更（遷移）させる。
【００５９】
また、ステップＳ７３５の判定で、光源１０が点灯済みでないと判定された場合（“Ｎｏ”の場合）に、調光制御部３（具体的にはＰＷＭ調光信号生成部８）は、図３ＡのステップＳ６３０で設定されたモード（厳密には、図４の後記するステップＳ１８で設定されたＰＷＭ調光モード）で指示された指示調光率での光源１０の点灯を行う（ステップＳ７５５）。
【００６０】
ステップＳ７３０の判定で、入力波形が正常でないと判定された場合（“Ｎｏ”の場合）に、調光制御部３（具体的には情報判断部４）は、時間が一定時間経過したか否かを判定する（ステップＳ７６０）。ステップＳ７６０の判定で、時間が一定時間経過していると判定された場合（“Ｙｅｓ”の場合）に、調光制御部３（具体的にはＰＷＭ調光信号生成部８）は、予め設定された入力不具合動作を行う（ステップＳ７６５）。ここでは、調光制御部３が、入力不具合動作として、例えば、最大調光率での光源１０の点灯を行うものとする。一方、ステップＳ７６０の判定で、時間が一定時間経過していないと判定された場合（“Ｎｏ”の場合）に、処理は、ステップＳ７３０に戻る。
【００６１】
電源オン時の動作は、ステップＳ７２０，Ｓ７４５，Ｓ７５０，Ｓ７５５，Ｓ７６５のいずれかの処理が行われることにより、終了する。
【００６２】
（モード設定時の動作）
図４は、本実施形態における光源駆動装置のモード設定時の動作を示すフローチャートである。図４に示すモード設定時の動作は、図３Ａに示すステップＳ６３０で行われる動作である。本実施形態では、後記するステップＳ１４におけるシリアル信号Ｒｘの周期Ｔの上限値を「８ｍｓ」として説明する。また、後記するステップＳ１６における受信開始時刻からの経過時間の上限値を「１ｓ（秒）」として説明する。この受信開始時刻からの経過時間の上限値（１ｓ）は、調光指示信号Ｓａｄに基づいて生成されるシリアル信号Ｒｘが安定するまでに要すると考えられる上限時間を意味している。
【００６３】
図４に示すように、光源駆動装置１は、操作装置Ｍｓから調光指示信号Ｓａｄを受信する（ステップＳ１１）。すると、光源駆動装置１のインタフェース回路２は、受信された調光指示信号Ｓａｄに基づいてシリアル信号Ｒｘを生成し、生成されたシリアル信号Ｒｘを調光制御部３（具体的には情報判断部４）に出力する。調光制御部３（具体的には情報判断部４）は、シリアル信号Ｒｘの周期の測定を開始するとともに、受信開始時刻を記憶する。また、情報判断部４は、エラーフラグ（error frag）メモリーを初期化する。
【００６４】
次に、調光制御部３（具体的には情報判断部４）は、シリアル信号ＲｘがＤＡＬＩ通信規格に基づいたＤＡＬＩフレームを含んでいるか否かを判定する（ステップＳ１２）。
【００６５】
ステップＳ１２の判定で、シリアル信号ＲｘがＤＡＬＩフレームを含んでいると判定された場合（“Ｙｅｓ”の場合）に、調光制御部３（具体的には情報判断部４）は、モードをＤＡＬＩ調光モードに設定する（ステップＳ１３）。このとき、調光制御部３の情報判断部４は、ＤＡＬＩ命令情報ＳｄをＤＡＬＩフレーム制御部６に出力する。
【００６６】
一方、ステップＳ１２の判定で、シリアル信号ＲｘがＤＡＬＩフレームを含んでいないと判定された場合（“Ｎｏ”の場合）に、調光制御部３（具体的には情報判断部４）は、シリアル信号Ｒｘの周期Ｔを計測し、周期Ｔが８ｍｓ以下であるか否かを判定する（ステップＳ１４）。これにより、調光制御部３（具体的には情報判断部４）は、シリアル信号Ｒｘに所定の休止区間があるか否かを判定する。
【００６７】
ステップＳ１４の判定で、周期Ｔが８ｍｓ以下でないと判定された場合（“Ｎｏ”の場合）に、調光制御部３（具体的には情報判断部４）は、シリアル信号Ｒｘに所定の休止区間があると判断して、エラーフラグを立てる（ステップＳ１５）。
【００６８】
一方、ステップＳ１４の判定で、周期Ｔが８ｍｓ以下であると判定された場合（“Ｙｅｓ”の場合）に、調光制御部３（具体的には情報判断部４）は、シリアル信号Ｒｘに所定の休止区間がないと判断し、調光指示信号Ｓａｄの受信開始時刻から時間が１ｓ以上経過したか否かを判定する（ステップＳ１６）。
【００６９】
ステップＳ１６の判定で、受信開始時刻から時間が１ｓ以上経過していないと判定された場合（“Ｎｏ”の場合）に、処理はステップＳ１２に戻る。その結果、光源駆動装置１は、受信開始時刻からの経過時間が上限値（１ｓ）を超えるまで、ステップＳ１２〜ステップＳ１６の処理（特にステップＳ１２とステップＳ１４の処理）を繰り返し行う。これにより、光源駆動装置１は、照明装置１００の起動等によりシリアル信号Ｒｘにノイズ等が重畳してしまい、その結果、誤った信号が調光制御部３に入力された場合であっても、その信号を排除することができる。
【００７０】
しかしながら、光源駆動装置１は、受信開始時刻からの経過時間が上限値（１ｓ）を超えるまで、ステップＳ１２〜ステップＳ１６の処理（特にステップＳ１２とステップＳ１４の処理）を繰り返し行うため、これらの処理で比較的多大な時間を要してしまう。本実施形態に係る光源駆動装置１は、これらの処理が行われる前に、図３Ａに示すステップＳ６２０で記憶値での光源１０の点灯を行っている。そのため、本実施形態に係る光源駆動装置１は、光源１０を速やかに点灯させることができる。
【００７１】
一方、ステップＳ１６の判定で、受信開始時刻から時間が１ｓ以上経過していると判定された場合（“Ｙｅｓ”の場合）に、調光制御部３（具体的には情報判断部４）は、エラーフラグが立っているか否かを判定する（ステップＳ１７）。
【００７２】
ステップＳ１７の判定で、エラーフラグが立っていないと判定された場合（“Ｎｏ”の場合）に、調光制御部３（具体的には情報判断部４）は、モードをＰＷＭ調光モードに設定する（ステップＳ１８）。このとき、調光制御部３の情報判断部４は、ＰＷＭ命令情報ＳｐをＰＷＭ調光信号生成部８に出力する。
【００７３】
一方、ステップＳ１７の判定で、エラーフラグが立っていると判定された場合（“Ｙｅｓ”の場合）に、調光制御部３（具体的には情報判断部４）は、モードをＤＡＬＩ調光モードに設定する（ステップＳ１９）。このとき、調光制御部３の情報判断部４は、ＤＡＬＩ命令情報ＳｄをＤＡＬＩフレーム制御部６に出力する。
ステップＳ１３又はステップＳ１８又はステップＳ１９の後、処理は図３ＢのステップＳ７０５に進む。
【００７４】
係る構成において、光源駆動装置１の調光制御部３は、ステップＳ６２０で記憶値での光源１０の点灯を開始すると、処理がステップＳ７２０，Ｓ７４５，Ｓ７５０，Ｓ７６５のいずれかのステップに到達するまで、操作装置Ｍｓから送信される調光指示信号Ｓａｄに基づく処理をキャンセルする。
【００７５】
このような光源駆動装置１は、ＰＷＭ調光指示信号Ｓａｄｐ又はＤＡＬＩ調光指示信号Ｓａｄｄを調光指示信号Ｓａｄとして入力して、その調光指示信号Ｓａｄに対応するシリアル信号Ｒｘを共通の調光制御部３に入力することができる。したがって、光源駆動装置１は、それぞれの調光方式に対応した調光制御部と、調光方式を選択するための切り替え手段を備える必要がない。そのため、光源駆動装置１は、調光回路を簡素化することができ、その分だけ、部品点数を削減することができ、装置を小型化することができる。このような光源駆動装置１は、簡単な構成でＰＷＭ信号及びＤＡＬＩ信号に対応することができる。
【００７６】
また、光源駆動装置１の調光制御部３は、前回の電源オフ後の電源オン時に、調光指示信号Ｓａｄの種類の自動判別が完了する前に、記憶部１３に記憶された記憶値（前回の電源オフの調光率情報）に基づいて調光信号Ｓｃを生成して駆動回路部９に出力する。このような光源駆動装置１は、電源がオン（投入）された直後の状態において、すぐさま記憶値に基づいて光源１０を点灯させることができる。これにより、光源駆動装置１は、電源がオン（投入）された直後の状態において、調光指示信号Ｓａｄの種類の自動判別（つまり、調光指示信号ＳａｄがＰＷＭ調光指示信号Ｓａｄｐ又はＤＡＬＩ調光指示信号Ｓａｄｄのいずれであるのかの自動判別）に所定時間（例えば１ｓ（秒））を要したとしても、それによる光源１０の点灯に時間を要してしまうことを回避することができる。
【００７７】
なお、光源駆動装置１は、電源がオフになるタイミングで調光率情報を記憶部１３に記憶させることにより、調光率情報を記憶部１３に記憶させる記憶回数を抑制することができる。つまり、調光率情報を記憶部１３に記憶させる記憶の更新回数は、常に調光率情報を記憶させる場合（所定の周期で更新を繰り返す場合）に比べて少なくすることができる。そのため、光源駆動装置１は、記憶回数に制限があるものの、比較的安価なＥＥＰＲＯＭ（Electrically Erasable and Programmable Read Only Memory）を記憶部１３に用いることができる。これにより、光源駆動装置１はコストを抑制することができる。
【００７８】
なお、本実施形態における具体的な数値は、例示であってその値に限定されるものではない。例えば、図４のステップＳ１４におけるシリアル信号Ｒｘの周期Ｔの上限値としての「８ｍｓ」や、図４のステップＳ１６における受信開始時刻からの経過時間の上限値としての「１ｓ」等の数値は、その値に限定されるものではない。
【００７９】
＜補足事項＞
（１）光源駆動装置１は、電源オフ時の調光状態（調光率）情報を記憶し、次回の電源オン時（起動時）に前回の電源オフ時の調光状態（調光率）で光源１０の点灯を開始する構成になっている。これは、以下の技術思想に基づくものである。
【００８０】
すなわち、電源オフ時は、光源１０が点灯していないため、ユーザが操作装置Ｍｓを操作することが少ない。そのため、電源オフ時から次回の電源オン時（起動時）までの間は、操作装置Ｍｓの調光率は、電源オフ時と同じ調光率に維持されている可能性が高い。したがって、光源駆動装置１は、電源オフ時の調光状態（調光率）情報を記憶し、次回の電源オン時（起動時）に前回の電源オフ時の調光状態（調光率）で光源１０の点灯を開始すれば、ユーザに違和感を与えることなく、光源１０を速やかに点灯させることができる。光源駆動装置１は、このような技術思想に基づいている。
【００８１】
（２）光源駆動装置１は、記憶値（前回の電源オフ時の調光率情報）の調光率と調光指示信号Ｓａｄによって指示された指示調光率との差が比較的大きい場合に、ユーザに分からない範囲で時間をかけて、調光率を変更する調光制御を行う。また、光源駆動装置１は、調光制御を行っている最中に受信された調光指示信号Ｓａｄによって新たな指示調光率が指示された場合に、調光率を変更（遷移）する時間を切り替えて、光源１０の調光率を、新たな指示調光率に直ちに変更（遷移）する（図３ＢのステップＳ７５０参照）。
【００８２】
（３）光源駆動装置１は、記憶値（前回の電源オフ時の調光率情報）の調光率と調光指示信号Ｓａｄによって指示された指示調光率との差が比較的小さい場合で、かつ、ユーザが操作装置Ｍｓを操作していないと見なすことができるときに、操作装置Ｍｓから受信された調光指示信号Ｓａｄによって指示された指示調光率に光源１０の調光率を変更（遷移）することをキャンセルすることができる（図３ＢのステップＳ７４５参照）。
【００８３】
（４）光源駆動装置１は、ある一定の時間が経過しても正常なＰＷＭ調光指示信号Ｓａｄｐが得られない場合に、ＰＷＭ調光指示信号Ｓａｄｐが異常だと判断して、直ちに入力不具合動作を行う。例えば、この場合に、光源駆動装置１は、記憶値を破棄して、記憶値での光源１０の点灯を行わずに、最大調光率での光源１０の点灯を行う（図３ＢのステップＳ７６５参照）。
【００８４】
（５）光源駆動装置１は、消灯状態も記憶することができる（図２のステップＳ１１０参照）。
（６）光源駆動装置１は、記憶値が不正なものだった場合に、例えば、点滅動作を行った後に、任意の調光率での光源１０の点灯を行い、操作装置Ｍｓから調光指示信号Ｓａｄによって新たな指示調光率が指示されたら、新たな指示調光率情報を記憶するようにしてもよい。
【００８５】
（７）光源駆動装置１は、照明装置１００（光源駆動装置１自身や光源１０）側での異常動作時の調光状態を記憶することができる。
（８）記憶値での調光は、ＤＡＬＩ調光モードと連動することができる。記憶値での調光制御は、ＤＡＬＩ調光モードにおいて記憶値起動が有効になっていた場合のみにすることができる。
【００８６】
＜光源駆動装置の主な特徴＞
（１）光源駆動装置１は、電源オフ（切断）時に、電源オフ時（厳密には、電源がオフされる直前）の調光率情報を記憶値として記憶部１３に記憶させておく（図２のステップＳ１１５参照）。そして、光源駆動装置１は、電源オン（投入）時に、記憶値（前回の電源オフ時の調光率情報）に基づいて光源１０を点灯させる（図３ＡのステップＳ６２０参照）。
【００８７】
このような動作を実現するために、光源駆動装置１の調光制御部３は、前回の電源オフ後の電源オン時に、調光指示信号Ｓａｄの種類の自動判別が完了する前に、記憶部１３に記憶された記憶値（前回の電源オフの調光率情報）に基づいて調光信号Ｓｃを生成して駆動回路部９に出力する構成になっている。
【００８８】
このような光源駆動装置１は、電源オン時に、すぐさま光源１０を点灯させることができる。また、光源駆動装置１は、調光指示信号Ｓａｄの種類の自動判別に所定時間（例えば１ｓ（秒））を要したとしても、それによる光源１０の点灯に時間を要してしまうことを回避することができる。このような光源駆動装置１は、ユーザが点灯操作を行ってから光源１０が点灯を開始するまでの時間を短縮することができる。したがって、光源駆動装置１は、電源がオンになった直後（起動直後）の状態において、光源１０を速やかに点灯させることができる。
【００８９】
（２）光源駆動装置１は、記憶値での光源１０の点灯を開始した後に、調光指示信号Ｓａｄの種類の自動判別が完了し、その後に、調光指示信号Ｓａｄとして入力されるＰＷＭ調光指示信号Ｓａｄｐ又はＤＡＬＩ調光指示信号Ｓａｄｄに基づいて、ＰＷＭ調光モードによる調光制御（図３ＢのステップＳ７４５，Ｓ７５０，Ｓ７６５参照）又はＤＡＬＩ調光モードによる調光制御を行う（図３ＢのステップＳ７２０参照）。
このような光源駆動装置１は、ＰＷＭ調光モードによる調光制御及びＤＡＬＩ調光モードによる調光制御の双方を行うことができる。
【００９０】
（３）光源駆動装置１は、記憶値での光源１０の点灯を開始した後に、調光指示信号Ｓａｄの種類の自動判別が完了し、その後に、ＰＷＭ調光モードによる調光制御を行う場合で、かつ、記憶値（前回の電源オフ時の調光率情報）の調光率とＰＷＭ調光指示信号Ｓａｄｐによって指示された指示調光率との差が所定の範囲内（例えば、３０％以内、望ましくは、１０％以内）であるときに、記憶値での光源１０の点灯を継続する（図３ＢのステップＳ７４５参照）。つまり、光源駆動装置１は、記憶値（前回の電源オフ時の調光率情報）の調光率と指示調光率との差が比較的小さいときに、光源１０の点灯状態を変更（遷移）せずに、維持する。
【００９１】
このような光源駆動装置１は、ユーザに違和感を与えないように、光源１０の点灯状態を維持することができる。そのため、例えば、光源駆動装置１は、ユーザの意図せぬ調光率の変更（具体的には、何らかの物体が操作装置Ｍｓの調光率を変更するつまみ等に当たってしまい、つまみ等がわずかに動いてしまう現象等）があったとしても、その変更を誤動作とみなすことができ、また、その誤動作を回避することができる。
【００９２】
（４）光源駆動装置１は、記憶値での光源１０の点灯を開始した後に、ＰＷＭ調光モードによる調光制御を行う場合で、かつ、記憶値（前回の電源オフ時の調光率情報）の調光率とＰＷＭ調光指示信号Ｓａｄｐによって指示された指示調光率との差が所定の範囲内（例えば、３０％以内、望ましくは、１０％以内）でないときに、光源１０の点灯状態を、記憶値での点灯状態から指示調光率での点灯状態に変更（遷移）する（図３ＢのステップＳ７５０参照）。つまり、光源駆動装置１は、記憶値（前回の電源オフ時の調光率情報）の調光率と指示調光率との差が比較的大きいときに、光源１０の点灯状態を指示調光率での点灯状態に変更（遷移）する。
【００９３】
このような光源駆動装置１は、指示調光率に応じて調光率を変更（遷移）することができる。そのため、例えば、光源駆動装置１は、照明装置１００が停止している間に操作装置Ｍｓの調光率を変更するつまみ等が動かされることがあったとしても、照明装置１００が起動した際にその変更を直ちに反映することができる。
【００９４】
なお、このとき、光源駆動装置１の調光制御部３（具体的には情報判断部４）は、ユーザに違和感を与えないように、所定の時間をかけて、光源１０の点灯状態を徐々に変更（遷移）するとよい。これにより、光源駆動装置１は、ユーザに違和感を与えることなく、調光率を変更（遷移）することができる。
【００９５】
（５）光源駆動装置１は、入力された調光指示信号Ｓａｄの波形が正常でない場合に、例えば、最大調光率での光源１０の点灯を行う（図３ＢのステップＳ７６５参照）。ただし、光源駆動装置１は、この場合に、最大調光率に限らず、所定の調光率での光源１０の点灯を行うようにしてもよい。
このような光源駆動装置１は、調光指示信号Ｓａｄの種類の自動判別に失敗したときでも、ユーザが不満を感じてしまう程に、調光率が低くなることを回避することができる。また、ユーザに正常ではないことを報知することができる。
【００９６】
（６）光源駆動装置１は、記憶値での光源１０の点灯を開始した後に、ＤＡＬＩ調光モードによる調光制御を行う場合に、光源１０の点灯状態を、記憶値での点灯状態から指示調光率での点灯状態に変更（遷移）する（図３ＢのステップＳ７２０参照）。
【００９７】
このような光源駆動装置１は、指示調光率に応じて調光率を変更（遷移）することができる。そのため、例えば、光源駆動装置１は、照明装置１００が停止している間に操作装置Ｍｓの調光率を変更するつまみ等が動かされることがあったとしても、照明装置１００が起動した際にその変更を直ちに反映することができる。
【００９８】
（７）光源駆動装置１の起動制御部１２は、記憶値での光源１０の点灯が許容される場合に、記憶値での光源１０の点灯を調光制御部３に指示する（図３ＡのステップＳ６１０〜ステップＳ６２０参照）。
このような光源駆動装置１は、記憶値での光源１０の点灯が許容されるか否かの判定結果に応じて調光制御を行うことができる。
【００９９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【０１００】
１    光源駆動装置
２    インタフェース回路
３    調光制御部
４    情報判断部
５    ＤＡＬＩ調光信号生成部
６    ＤＡＬＩフレーム制御部
７    信号生成部
８    ＰＷＭ調光信号生成部
９    駆動回路部
１０    光源
１１    ＡＣ電圧検出回路
１２    起動制御部
１３    記憶部
１００    照明装置
Ｍｓ    操作装置
【図１】
2018125235.tif 000003
【図２】
2018125235.tif 000004
【図３Ａ】
2018125235.tif 000005
【図３Ｂ】
2018125235.tif 000006
【図４】
2018125235.tif 000007